(57)【要約】      （修正有）【課題】車椅子の車軸自体が車椅子の着座部との関係で回動自在になっていることに着眼し、これを傾倒時の回動軸として利用することを前提とし、極めて簡単な構成の下に着座姿勢を維持しながら後傾体勢を得られるようにした新規な車椅子対応の理容設備を開発することを技術課題としたものである。【解決手段】本発明の車椅子対応の理容設備１は、理容室１０内の例えば洗髪用シンク１２等の理容機器近傍に、後傾させた状態の車椅子２を支承し保持するサポート部材１１を設け、車椅子利用者Ｍは車椅子２に着座した姿勢のまま後傾し頭部の理容サービスを受けられるようにしたことを特徴として成るものである。【選択図】図１
2005103194.tif 000002
【特許請求の範囲】
【請求項１】
理容室内の理容機器近傍に、後傾させた状態の車椅子を支承し保持するサポート部材を設け、車椅子利用者は車椅子に着座した姿勢のまま後傾し頭部の理容サービスを受けられるようにしたことを特徴とした車椅子対応の理容設備。
【請求項２】
前記サポート部材が車椅子を支承し保持する部位は、車椅子のハンドルであることを特徴とする請求項１記載の車椅子対応の理容設備。
【請求項３】
前記理容室における車椅子の定置床面には、昇降自在のリフトが設けられていることを特徴とする請求項１または２記載の車椅子対応の理容設備。
【請求項４】
前記理容機器は洗髪用シンクであることを特徴とする請求項１、２または３記載の車椅子対応の理容設備。
【請求項５】
前記サポート部材は、門型形状であることを特徴とする請求項１、２、３または４記載の車椅子対応の理容設備。
【請求項６】
車椅子のハンドルをサポート部材に支承し保持するために、ワンタッチバックルを有することを特徴とする請求項１、２、３、４または５記載の車椅子対応の理容設備。
【発明の詳細な説明】
【技術分野】
【０００１】
本発明は、車椅子利用者が散髪洗髪等の理容サービスを受けやすくした車椅子対応の理容設備に関するものである。
【背景技術】
【０００２】
車椅子利用者にとって、理容サービスを受けやすくする種々の技術が提案されている。これらの多くは車椅子と理容設備とを接近できるようにして洗髪等の理容サービスを行いやすくするものであるが、理容設備側での例えば洗髪用シンク等の可動構造をとる場合には、その設備コストもかさみ営業規模の大きくない理髪店などにおける導入は現実的ではない。
【０００３】
また、車椅子そのものの工夫として背もたれ部を後方にリクライニングできるようにしたものも提案されているが、この場合使用者によっては通常の着座姿勢から上半身だけ後傾させ上向きになる姿勢をとることが困難な場合もあり、必ずしも汎用性のある対策とはなっていない。
むしろ、車椅子使用者の実態からすると車椅子に着座姿勢を保ったまま車椅子ごと後傾させるほうがはるかに、車椅子使用者の身体的な負担が少ない。
【０００４】
ところで、このような実態を考慮して、車椅子ごと後傾させて理容サービスを受けるための設備が提案されている（特許文献１）。
しかしながら、この先行技術は、車椅子の支承架台を床面に設置し且つ、この支承架台に対し後傾可能な機能を与えなければならないこともあり、装置自体一定の価格設定にならざるを得ず、この手法も現実的な簡便さを有しているものではない。
【特許文献１】特開２００１−１９３９０公報
【発明の開示】
【発明が解決しようとする課題】
【０００５】
本発明は、このような背景を認識してなされたものであって、車椅子の車軸自体が車椅子の着座部との関係で回動自在になっていることに着眼し、これを傾倒時の回動軸として利用することを前提とし、極めて簡単な構成の下に着座姿勢を維持しながら後傾体勢を得られるようにした新規な車椅子対応の理容設備を開発することを技術課題としたものである。
【課題を解決するための手段】
【０００６】
すなわち請求項１記載の車椅子対応の理容設備は、理容室内の理容機器近傍に、後傾させた状態の車椅子を支承し保持するサポート部材を設け、車椅子利用者は車椅子に着座した姿勢のまま後傾し頭部の理容サービスを受けられるようにしたことを特徴として成るものである。
【０００７】
更にまた請求項２記載の車椅子対応の理容設備は、前記要件に加え、サポート部材が車椅子を支承し保持する部位については、車椅子のハンドルであることを特徴として成るものである。
【０００８】
更にまた請求項３記載の車椅子対応の理容設備は、前記要件に加え、理容室における車椅子の定置床面については、昇降自在のリフトが設けられていることを特徴として成るものである。
【０００９】
更にまた請求項４記載の車椅子対応の理容設備は、前記要件に加え、理容機器については、洗髪用シンクであることを特徴として成るものである。
【００１０】
更にまた請求項５記載の車椅子対応の理容設備は、前記要件に加え、サポート部材については、門型形状であることを特徴として成るものである。
【００１１】
更にまた請求項６記載の車椅子対応の理容設備は、前記要件に加え、車椅子のハンドルを支承し支持するために、ワンタッチバックルを用いることを特徴として成るものである。
【発明の効果】
【００１２】
まず請求項１記載の発明によれば、車椅子利用者の理容サービスを提供するための機器を簡便な構成とすることができる。
【００１３】
また請求項２記載の発明によれば、ハンドルを固定部位として利用することにより、操作がより行いやすく且つ確実に固定ができる。
【００１４】
また請求項３記載の発明によれば、昇降自在なリフトによりサイズの異なる種々の車椅子でも利用サービスを受けることができる。
【００１５】
また請求項４記載の発明によれば、車椅子利用者に対し無理な姿勢をとることなく洗髪サービスを提供することができる。
【００１６】
また請求項５記載の発明によれば、そのサポート部材を簡単な構造にすることができる。
【００１７】
また更に、請求項６記載の発明によれば、ワンタッチバックルによりいわゆるワンタッチ操作で車椅子をサポート部材に確実に固定することができる。
【発明を実施するための最良の形態】
【００１８】
本発明の最適な実施例は、以下の具体的な実施の形態の説明並びに図面に開示されるものである。
【実施例】
【００１９】
以下、本発明の車椅子対応の理容設備１について、実施例に基づき具体的に説明する。
符号１は、本発明の理容設備であって、車椅子２の利用者を受け入れ、理容サービスを提供できるものである。理容設備１の主要部材は、サポート部材１１と、理容機器の一部である洗髪用シンク１２と、リフト１３等とにより構成される。
まず本発明の理容設備１の説明に先立ち、車椅子２についてその概略を説明する。
【００２０】
車椅子２は、このものの利用者Ｍの身体的能力等に応じて種々の車椅子２が提供されているが、典型的な主要部材について概略を説明する。符号２０は、アルミやスチール等のパイプを適宜曲成し、組み合わせてなるフレームであって、このフレーム２０は、パンタグラフ状に折りたたみガイドとなるサブフレーム２０Ａにより左右方向に折りたたみができるものである。
このフレーム２０は、主輪２１、更にその前方に設けられるキャスター状の副輪２２とを具え、適宜移動できるような構成をとっている。更に前記フレーム２０は、その着座した利用者Ｍの足を支承するステップ２３と、着座した利用者Ｍを受け入れる背もたれを含んだシート２４とを支持し、更にシート２４の背もたれ部をその一部で支持するハンドル２５がフレーム２０の一部として構成されている。
更に、フレーム２０はその側部に肘掛２６を具えるとともに主輪の軸２１Ａの後方に伸びる位置にリフトステップ２７を突出形成させるものである。
なお、このリフトステップ２７は補助者が車椅子２のフレーム２０ごと着座者を後傾させたり、段差を超えたりするために副輪２２を持ち上げるための操作に便利なように設けられているものである。
以上の述べた構成は、従来公知の一般的な構成であり適宜利用者Ｍの体格等に応じた特殊用途のものであっても適応しうるものである。
【００２１】
次に理容設備１を構成する部材の一つであるサポート部材１１について以下詳述する。
サポート部材１１は理容室１０の床面から上方に突出させるような形状であり、その基部前方（洗髪用シンク１２の反対側）には、一例として昇降自在なリフト１３を設置する。このリフト１３の後方部には、円滑に車椅子２が登れるようにスロープ１３０が設けられており、このスロープ１３０は不使用時には、跳ね上げ状態で格納できるように設けられることが好ましい。また、このスロープ１３０はリフト１３の前方や側方に設けてよい。
【００２２】
そしてサポート部材１１は、一例として門型をなすものであり、直立した２本のステー１４を有し、その上方に連続的に水平に配置した支承部１５を具えるものであって、全体として金属パイプ等で構成するものである。
更に支承部１５には、前記車椅子２のハンドル２５を保持するための固定部材１６を設けるものであり、例えばこのものは保持ベルト１６１を用い、これをワンタッチバックル１６２で締結するに構成したしたものである。もちろん固定部材１６としては後述するが図４に示すような保持ベルト１６１を設けないワンタッチバックル１６２のみにすることができる。
【００２３】
そして、このサポート部材１１を理容室１０に設けるにあたっては、床面にフランジ状のブラケットを用いて床面に常設しておいてもよいが、実際の作業性を考慮すると、このものを用いる際にのみ、設置することが好ましい。具体的には、床面にステー差込孔１４０を設けるとともに、ステー１４の下方部にフランジ１４２を設け、この下方をステー差込部１４１とする。またステー差込孔１４０は、ステー１４を設置していない時に異物等が入り込まないようにするための開口部を覆い被せるように保護蓋１４３を設けることが好ましい。
【００２４】
本発明は、以上述べたような構成を有するものであって、これにより車椅子２の利用者Ｍは、次のような手順で理容サービスを受けることができる。
車椅子２の利用者Ｍは、図３（１）に示すように理容室内において例えばリフト１３等に自らまたは補助者の手を借りて乗り込む。一例としてリフト１３にスロープ１３０が設けられている場合には、これを利用して容易に乗り込むことが可能である。
なおこの実施例では、サポート部材１１を設置した状態であるとスロープ１３０を利用して車椅子２をリフト１３に乗せることができないから、このときにはサポート部材１１を設置せずに行う。
【００２５】
次いで、散髪後等の洗髪サービスを受ける段階で、図３（２）（３）（４）に示すようにサポート部材１１を車椅子２の利用者Ｍの後方に設置し、補助者等の手を借りて車椅子２の主輪２１を定置したままフレーム２０を主輪の軸２１Ａを中心に後傾させるようにする。
この位置でちょうど車椅子２のハンドル２５の部位が、サポート部材１１の支承部１５に上方にもたれ掛かるようになり、この支承部１５と車椅子２のハンドル２５とを固定部材１６等により固定するものである。
【００２６】
すなわち、固定部材１６として保持ベルト１６１を用いる時には、図４（ａ）に示すように、このものによって、支承部１５と車椅子２のハンドル２５とを共縛りするようにし、保持ベルト１６１の両端をワンタッチバックル１６２で締結する。もちろん、ワンタッチバックル１６２は操作が素早くできる点で好ましいが強固な縛り付けができない場合には適宜ベルト側に長さ調整構造を具えて、締め付けを行う。
なお、ワンタッチバックル１６２としては、保持ベルト１６１と組み合わされたタイプのもののほか、ワンタッチバックル１６２が直接サポート部材１１の支承部１５に組み込まれるようなものも適用できる。
【００２７】
すなわち図４（ｂ）に示すタイプのワンタッチバックル１６２は、扛伏レバー１６３によって保持ループ１６４をキャッチ片１６５に係止ないし開放させ、保持ループ１６４によって、車椅子２のハンドル２５を保持し固定するものである。また、図４（Ｃ）に示すワンタッチバックル１６２は、スライダ１６６を用いる閂タイプのものであり、スプリング１６７によって常時サポート部材１１の支承部１５に設けられた保持ポケット１６８を塞ぐように構成されている。そしてワンタッチでハンドル２５等を保持することを可能とするためにスライダ１６６の保持ポケット１６８に面していない面の先端部が傾斜した案内面１６９を形成している。これにより、保持ポケット１６８に向けて車椅子２のハンドル２５を降下させることにより、スライダ１６６の傾斜した案内面１６９の作用によりスライダ１６６が保持ポケット１６８の開口部を開放するように退き、更にハンドル２５が保持ポケット１６８に収まった状態で、スプリング１６７の力によりスライダ１６６が元の位置に復帰して、ハンドル２５の抜け外れを阻止しいわゆるワンタッチアクションで固定することができる。
また、更に図示は省略するが、このワンタッチバックル１６２は、車椅子２のハンドル２５等の車椅子側に設けてもよい。
【００２８】
なお車椅子２ごと後傾させた際、図２に示すような姿勢をとれば、ほぼ車椅子２の固定が可能であるが、車椅子２に付設されているブレーキ（図示を省略する）により主輪２１を回転しないように固定すれば、更に作業時の安全が向上するものである。
このような車椅子２ごと後傾した場合、利用者Ｍにとっては、あくまで通常の着座姿勢を維持したまま下半身が上方に持ち上がるとともに上半身が後傾するようになり、その頭部が理容機器である洗髪用シンク１２の直上部に接近し、そのままの位置で洗髪等のサービスを受けることができる。このような通常の上半身を後傾させた状態で行われる理容サービスが終了後固定部材１６を解除して車椅子２を通常の姿勢に戻すものである。
【他の実施例】
【００２９】
本発明は、以上述べたような構成を基本とするものであるが、サポート部材１１自体の形状についても他の実施の形態が考慮し得る。すなわちサポート部材１１の基本的且つ好ましい実施の形態は、門型にパイプを曲成したものであるが、要は車椅子２の一部例えばハンドル２５を支承し固定する部材であればよく、図５に示すような支承部１５を省略したステー１４のみの形態（図５（ａ））、２本のステー１４を設けてそれぞれの上方に支承部１５を設けるような形態（図５（ｂ））、Ｔ字状の形態（図５（ｃ））等がとり得る。
【００３０】
またリフト１３については、このものを全く設けなくても、車椅子２の場合には利用者Ｍの頭部の位置がほぼ決まっていることから、このような場合リフト１３が省略することも可能である。
また、例えば理容店によっては車椅子２の利用者Ｍが特定されているような場合に、リフト１３の代わりに、特定の車椅子２の利用者Ｍに応じた高さになるようにあらかじめ調整したステージを用いても可能である。
【００３１】
また、リフト１３を設ける場合、例えば図６に示すようなサポート部材１１と一体に構成しておくようなことも可能である。また、このような場合には格納等の便を考慮した構造をとることも望ましい。具体的には、リフト１３とサポート部材１１との交差部分にピボット１１０を設けて両者を接続するとともに、それらの間に折りたたみブレース１１１を設け、サポート部材１１を倒伏させてコンパクトな折りたたみ構造にすることができるものである。そして更に、サポート部材１１を一体に具えたリフト１３の下方キャスター１１２をリフト１３の下方に設け、車椅子２の利用者Ｍが、来店しない場合に格納することが可能である。もちろんこの場合にもリフト１３の前方等に別体あるいは折りたたみ可能なスロープ１３０を設けることが好ましい。
【図面の簡単な説明】
【００３２】
【図１】本発明の車椅子利用者対応の理容設備の使用状態を示す斜視図である。
【図２】同上の側面図である。
【図３】本発明の車椅子利用者対応の理容設備の使用状態を順次示す説明図である。
【図４】本発明におけるサポート部材の他の実施例を示す斜視図である。
【図５】本発明における固定部材に関する種々の実施の形態を示す説明図である。
【図６】本発明におけるサポート部材とリフトとを一体に組み合わせた実施例を示す斜視図である。
【符号の説明】
【００３３】
１        理容設備
１０      理容室
１１      サポート部材
１１０    ピボット
１１１    折りたたみブレース
１１２    キャスター
１２      洗髪用シンク
１３      リフト
１３０    スロープ
１４      ステー
１４０    ステ−差込孔
１４１    ステー差込部
１４２    フランジ
１４３    保護蓋
１５      支承部
１６      固定部材
１６１    保持ベルト
１６２    ワンタッチバックル
１６３    扛伏レバー
１６４    保持ループ
１６５    キャッチ片
１６６    スライダ
１６７    スプリング
１６８    保持ポケット
１６９    案内面
２        車椅子
２０      フレーム
２０Ａ    サブフレーム
２１      主輪
２１Ａ    主輪の軸
２２      副輪
２３      ステップ
２４      シート
２５      ハンドル
２６      肘掛
２７      リフトステップ
Ｍ        利用者
【図１】
2005103194.tif 000003
【図２】
2005103194.tif 000004
【図３】
2005103194.tif 000005
【図４】
2005103194.tif 000006
【図５】
2005103194.tif 000007
【図６】
2005103194.tif 000008